(57)【要約】【課題】循環水系から排水される冷却水としての循環水の温度を降下させ、発電プラント周辺環境へ与える影響を抑えることができ、かつ既存の発電プラントのプラント出力に応じて増設可能な発電プラントの復水器冷却系を提供することを目的とする。【解決手段】本発明に係る発電プラントの復水器冷却系は、第１の循環水系配管３と分岐され、この分岐箇所の下流側で第１の循環水系配管３と合流接続された補助冷却水系配管１１と、補助冷却水系配管１１の途中に設けられた補助冷却水系ポンプ１３と、補助冷却水系ポンプ１３の下流側に設けられた補助冷却水系熱交換器１４とからなる補助冷却水系１０を備えた。【選択図】  図１
2009058153.tif 000002
【特許請求の範囲】
【請求項１】
発電プラントの復水器内に排出された蒸気を、循環水系を通る冷却水により冷却し凝縮させ、前記復水器の冷却水入口側に接続された第１の循環水系配管と、前記復水器の冷却水出口側に接続された第２の循環水系配管とからなる循環水系を備えた発電プラントの復水器冷却系において、
前記第１および第２の一方の循環水系配管から分岐され、前記第１および第２の一方の循環水系配管と合流接続された補助冷却水系配管と、
前記補助冷却水系配管の途中に設けられた補助冷却水系ポンプと、
前記補助冷却水系ポンプの上流側および下流側の少なくとも一方に設けられた補助冷却水系熱交換器とからなる補助冷却水系を備えたことを特徴とする発電プラントの復水器冷却系。
【請求項２】
発電プラントの復水器内に排出された蒸気を、循環水系を通る冷却水により冷却し凝縮させ、前記復水器の冷却水入口側に接続された第１の循環水系配管と、前記復水器の冷却水出口側に接続された第２の循環水系配管とからなる循環水系を備えた発電プラントの復水器冷却系において、
前記第１の循環水系配管から分岐され、前記第２の循環水系配管に合流接続された補助冷却水系配管と、
前記補助冷却水系配管の途中に設けられた補助冷却水系ポンプとからなる補助冷却水系を備えたことを特徴とする発電プラントの復水器冷却系。
【請求項３】
前記補助冷却水系配管に、補助冷却水系ポンプの上流側および下流側の少なくとも一方に循環水と熱交換可能に設けられた補助冷却水系熱交換器を備えたことを特徴とする請求項２記載の発電プラントの復水器冷却系。
【請求項４】
発電プラントの復水器内に排出された蒸気を、循環水系を通る冷却水により冷却し凝縮させ、前記復水器の冷却水入口側に接続された第１の循環水系配管と、前記復水器の冷却水出口側に接続された第２の循環水系配管とからなる循環水系を備えた発電プラントの復水器冷却系において、
前記第２の循環水系配管から分岐され、この分岐箇所の下流側で前記第２の循環水系配管と合流接続された補助冷却水系配管と、
前記補助冷却水系配管の途中に設けられた補助冷却水系熱交換器とからなる補助冷却水系を備えたことを特徴とする発電プラントの復水器冷却系。
【請求項５】
前記補助冷却水系配管に、前記補助冷却水系熱交換器の上流側および下流側の少なくとも一方に補助冷却水系ポンプを備えたことを特徴とする請求項４記載の発電プラントの復水器冷却系。
【請求項６】
前記補助冷却水系は、
２次ループ冷却水系ポンプと、
前記２次ループ冷却水系ポンプの上流側および下流側の少なくとも一方に設けられ、２次ループ冷却水系を循環する流体と熱交換可能な２次ループ冷却水系熱交換器とを備えた２次ループ冷却水系を備え、
前記２次ループ冷却水系を循環する流体は前記補助冷却水系熱交換器と熱交換可能であることを特徴とする請求項１および請求項３乃至５のいずれか１項に記載の発電プラントの復水器冷却系。
【請求項７】
前記補助冷却水系熱交換器は空気冷却式熱交換器であることを特徴とする請求項１および請求項３乃至６のいずれか１項に記載の発電プラントの復水器冷却系。
【発明の詳細な説明】
【技術分野】
【０００１】
本発明は発電プラントの復水器冷却系に係り、特に発電プラント周辺環境へ与える影響を抑えることができ、かつ既存の発電プラントに増設可能な発電プラントの復水器冷却系に関する。
【背景技術】
【０００２】
原子力発電プラントおよび火力発電プラントなどの発電プラントにおいては、発電プラント内の原子炉や蒸気発生器（ボイラ）で蒸気を発生させ、発生した蒸気で蒸気タービンを駆動させることにより発電が行われる。また、蒸気タービンの低圧タービンで仕事をした蒸気は復水器に排出される。排出された蒸気は、復水器内で冷却され凝縮されて復水となる。この復水は、続いて復水・給水系を通って原子炉や蒸気発生器に給水として循環される。この給水はここで再び加熱されて蒸気となり、蒸気タービン側に供給される。
【０００３】
一方、発電プラントの復水器内部には伝熱管が設けられ、蒸気タービンから復水器に排出された蒸気は伝熱管を通水する海水（水）と熱交換され、この伝熱管に導かれる蒸気を冷却させ、凝縮させている。
【０００４】
復水器内部の伝熱管には循環水系より海水などの循環水が冷却水として供給される。循環水系は、海洋や河川に隣接して発電所内に敷設され、循環水ポンプにより海水などをポンプアップして復水器の伝熱管内に供給している。循環水は復水器内の蒸気と熱交換を行うことで温度が上昇し、最終的には温水となって循環水系から海洋などへ放出される。
【０００５】
従来の復水器冷却系として、特許文献１に開示された発電プラントの復水器冷却装置が存在する。この復水器冷却装置は、温排水の排出量を低減し、かつ発電プラントの電気出力を増大させるようになっている。取水口から取り込まれ循環水系を通って復水器に案内された海水は、復水器の伝熱管を介して蒸気と熱交換し、この蒸気を冷却し凝縮させる。蒸気を冷却して温水となった海水は循環水系を放水路から海水中に排出される。循環水系の途中には海水一時貯水槽が設けられる。
【０００６】
この海水の一部は冷却装置に導かれ、この冷却装置によって冷却されることにより温度が降下し、その後取水口から流入する海水と共に復水器の伝熱管内に案内され、蒸気の凝縮に再利用される。また、その他の海水は排水として海洋に排出されるものであった。
【特許文献１】特開２００１−１９４４８８号公報
【発明の開示】
【発明が解決しようとする課題】
【０００７】
復水器内の蒸気を冷却し凝縮して温度上昇した海水（循環水）は、循環水入口側の海水温度に比べ、通常数度Ｃから十数度Ｃの温度が上昇することになる。この温度が上昇した循環水（海水）は、排水として海洋に放出される。排水の温度上昇は生態系に種々の影響を与えるので、海洋や河川の環境保全として、循環水の温度上昇をなるべく低減し、海水または河川水に生息する生物の生態系を維持する方策が求められるという課題があった。
【０００８】
これに対し、原子炉などの熱出力の増加に伴い、復水器冷却系の熱交換機能を向上させる必要が生じる場合がある。この場合、既存発電プラントの復水器冷却系の有する熱交換機能では十分な冷却対応を発揮させることができず、周辺環境への生態系配慮が十分行えない可能性がある。また、特許文献１に示された発電プラントの復水器冷却装置は、既存の発電プラントの熱出力の増加に対応するために復水器冷却系を増設する場合には適しているとはいえないという課題があった。
【０００９】
本発明はこのような事情を考慮してなされたもので、循環水系から排水される冷却水としての循環水の温度を降下させ、発電プラント周辺環境へ与える影響を抑えることができ、かつ既存の発電プラントのプラント出力に応じて増設可能な発電プラントの復水器冷却系を提供することを目的とする。
【課題を解決するための手段】
【００１０】
本発明に係る発電プラントの復水器冷却系は、上述した課題を解決するために、請求項１に記載したように、第１および第２の一方の循環水系配管から分岐され、前記第１および第２の一方の循環水系配管と合流接続された補助冷却水系配管と、前記補助冷却水系配管の途中に設けられた補助冷却水系ポンプと、前記補助冷却水系ポンプの上流側および下流側の少なくとも一方に設けられた補助冷却水系熱交換器とからなる補助冷却水系を備えたことを特徴とする。
【００１１】
また、本発明に係る発電プラントの復水器冷却系は、上述した課題を解決するために、請求項２に記載したように、第１の循環水系配管から分岐され、第２の循環水系配管に合流接続された補助冷却水系配管と、前記補助冷却水系配管の途中に設けられた補助冷却水系ポンプとからなる補助冷却水系を備えたことを特徴とする。
【００１２】
また、本発明に係る発電プラントの復水器冷却系は、上述した課題を解決するために、請求項４に記載したように、第２の循環水系配管から分岐され、この分岐箇所の下流側で前記第２の循環水系配管と合流接続された補助冷却水系配管と、前記補助冷却水系配管の途中に設けられた補助冷却水系熱交換器とからなる補助冷却水系を備えたことを特徴とする。
【発明の効果】
【００１３】
本発明に係る発電プラントの復水器冷却系は循環水系から排水される冷却水としての循環水の温度を降下させ、発電プラント周囲の環境へ与える影響を抑える一方、発電プラントのプラント出力に応じて増設を自由にかつ簡単に行うことができる。
【発明を実施するための最良の形態】
【００１４】
本発明に係る発電プラントの復水器冷却系の実施の形態について、図面を参照して説明する。
【００１５】
各実施形態では、本発明に係る発電プラントの復水器冷却系を沸騰水型原子力発電プラント（以下、ＢＷＲプラントという。）に適用し、このＢＷＲプラントにおけるタービン建屋を海洋に面して設けた例を説明する。なお、ＢＷＲプラントに代え、ＰＷＲプラントなどの発電プラントにも適用することができる。
【００１６】
［第１の実施形態］
本発明に係る発電プラントの復水器冷却系の第１実施形態について説明する。
【００１７】
図１は、本発明に係る発電プラントの復水器冷却系の第１実施形態を示す概略的な構成図である。発電プラントの復水器冷却系は、復水器内の蒸気を冷却させる循環水系１を有する。この循環水系１は、ＢＷＲプラント内のタービン建屋に設けられ、タービン建屋壁２を貫通するように循環水系配管が敷設される。
【００１８】
循環水系１は、第１の循環水系配管である循環水系取水配管３と第２の循環水系配管である循環水系放水配管４とからなる。
【００１９】
第１の循環水系配管である循環水系取水配管３には、取水口（図示せず）を開設した循環水系取水路５が接続され、この循環水系取水路５はＢＷＲプラントに隣接した海洋から冷却水としての海水（循環水）を取水口から取水できるように構成される。また、循環水系取水配管３の他端は復水器６内の伝熱管７と接続される。
【００２０】
一方、第２の循環水系配管である循環水系放水配管４には、循環水系放水路８が接続され、取水口から取水された海水（循環水）を、伝熱管７を経て循環水系放水路８に案内するようになっている。伝熱管７内を通る冷却水（循環水）は、循環水放水配管４を通して循環水系放出路８の放水口（図示せず）から海洋へ放水する。なお、循環水系取水路５および循環水系放水路８は、流路が地中に埋設されている。
【００２１】
循環水系取水配管３には、途中に循環水系ポンプ９が設けられる。この循環水ポンプ９は海洋から取り込まれた海水（循環水）を復水器６側にポンプアップして循環させるようになっている。
【００２２】
復水器６は、低圧タービン（図示せず）からの排気蒸気を導き、この蒸気を復水器６内で海水（循環水）と熱交換を行なって冷却し、凝縮して復水にしている。この排気蒸気の冷却および凝縮は、復水器６内に設けられた多数の伝熱管７によって行われ、循環水がこの伝熱管７の内部を通水することにより低圧タービンからの排出蒸気を冷却し凝縮する。
【００２３】
循環水系１には、補助冷却水系１０が接続されている。この補助冷却水系１０は、循環水系１の循環水系取水配管３から分岐されてバイパスしており、このバイパス管である補助冷却水系配管１１には補助冷却水系ポンプ１３および補助冷却水系熱交換器１４が設けられる。この補助冷却水系熱交換器１４は循環水系取水路５から取水された海水（循環水）を冷却し、循環水の温度を降下させる。
【００２４】
この補助冷却水系１０は、補助冷却水系熱交換器１４下流側の補助冷却水系配管１１が循環水系取水配管３に接続される。この補助冷却水系配管１１は、循環水系取水配管３から分岐して接続された箇所より下流側の循環水系取水配管３に合流接続される。この補助冷却水系配管１１の途中には、補助冷却水系ポンプ１３および補助冷却水系熱交換器１４が順次接続される。補助冷却水系ポンプ１３は、循環水系取水配管３から取り込まれた循環水を補助冷却水系１０内でポンプアップし、補助冷却水系熱交換器１４に供給している。
【００２５】
一方、補助冷却水系１０の補助冷却水系熱交換器１４に、図２に示すように２次ループ冷却水系２０をさらに設けることができる。図２では２次ループ冷却水系２０をさらに設けた復水器冷却系について説明する。
【００２６】
この２次ループ冷却水系２０は、循環水系１を通水する循環水をさらに冷却するために補助冷却水系１０と熱交換可能に設けられる。２次ループ冷却水系２０は、補助冷却水系１０の補助冷却水系熱交換器１４と熱交換を行う冷媒を循環させている。２次ループ冷却水系２０では、２次ループ冷却水系ポンプ２２により昇圧されることにより流体（冷媒）が循環する。
【００２７】
また、補助冷却水系熱交換器１４で熱交換し温度上昇した流体は、２次ループ冷却水系熱交換器２１で冷却される。２次ループ冷却水系熱交換器２１には、例えば空気冷却式熱交換器が用いられる。２次ループ冷却水系２０を循環する流体（冷媒）には、海水以外を使用することにより２次ループ冷却水系２０全体の海生物の発生による腐食および腐食に伴う伝熱性能劣化を回避することができる。
【００２８】
なお、図２に示された補助冷却水系熱交換器１４について、便宜上、補助冷却水系１０の循環水の通流部と、２次ループ冷却水系２０を循環する流体の通流部との境界を点線で示した。
【００２９】
次に、ＢＷＲプラントの復水器冷却系の作用について説明する。
【００３０】
図１において、循環水系取水路５は、隣接する海洋より循環水系ポンプ９により昇圧された冷却水としての海水（循環水）を取水する。取水された海水（循環水）の一部は、分岐されて補助冷却水系１０に導かれ、この補助冷却水系１０の補助冷却水系ポンプ１３により昇圧され、循環水系取水配管３を経て補助冷却水系配管１１に供給され、補助冷却水系熱交換器１４に導かれる。補助冷却水系１０に供給された循環水は、この補助冷却水系熱交換器１４で熱交換され冷却される。この補助冷却水系熱交換器１４で冷却された海水（循環水）の一部は、再び循環水と合流して循環水系取水配管３に導かれる。
【００３１】
その際、図２に示すように、補助冷却水系熱交換器１４に２次ループ冷却水系２０を設けた場合、補助冷却水系熱交換器１４を循環する循環水は、２次ループ冷却水系２０を循環する流体（冷媒）によってより一層冷却され、温度が降下する。
【００３２】
温度が降下した循環水は、補助冷却水系配管１１を経て、循環水系１の循環水系取水配管３を案内される循環水と合流する。
【００３３】
循環水はタービン建屋壁２を貫通した循環水系取水配管３を経て、復水器６へ案内される。復水器６内には多数の伝熱管７が設けられ、伝熱管７に循環水が案内されることにより、この循環水は復水器６内で低圧タービン（図示せず）から排気される排気蒸気と熱交換して、この蒸気を冷却し凝縮する。
【００３４】
その後循環水は復水器６を出て、第２の循環水系配管である循環水系放水配管４および循環水系放水路８を順次経て、放水口（図示せず）から海洋へ放水される。
【００３５】
この発電プラントの復水器冷却系によれば、循環水系１の第１の循環水系配管３に補助冷却水系１０を接続したことで、第１の循環水系配管３を通流する循環水の温度をより一層降下させることができ、最終的には第２の循環水系配管４を経て海洋へ放水される循環水の温度降下につながり、発電プラント周辺環境へ与える影響を抑えることができ、周囲環境の健全性の維持を図ることができる。
【００３６】
また、既存の発電プラントにおける原子炉の熱出力の増加に対応した復水器冷却系が必要となった場合であっても、本実施形態における補助冷却水系１０や２次ループ冷却水系２０を増設することにより対応することができる。
【００３７】
また、復水器６に供給する冷却水としての海水（循環水）の温度を降下させることができるため、復水器６の真空度が増し、タービン効率を向上させることができる。
【００３８】
なお、本実施形態においては、補助冷却水系１０の補助冷却水系配管１１を第１の循環水系配管である循環水系取水配管３に分岐して接続させた例を示したが、循環水系取水路５および、循環水系取水配管３の循環水系ポンプ９の下流側に接続してもよい。
【００３９】
また、補助冷却水系１０の補助冷却水系熱交換器１４は、空気冷却式の熱交換器を用いてもよい。この空気冷却式の熱交換器を用いた場合、補助冷却水系１０に案内された循環水は、冷却塔内で強制または自然循環された空気と接触され、循環水の保有する熱は空気側に移行されて大気中に放出される。これにより、循環水系放水路８から高温の循環水を放水することによる海洋へ与える影響を低減することができる。また、既存の発電プラントに増設することを想定した場合において、海水を冷却水として用いないため、海洋に結合した取水路などの設備を設ける必要がない点で有効である。
【００４０】
さらに、本実施形態においては、補助冷却水系１０の補助冷却水系熱交換器１４を、補助冷却水系ポンプ１３の下流側に設けたが、これを上流側に設けることもできる。
【００４１】
またさらに、補助冷却水系熱交換器１４は、さらに冷却能力を向上させるため、冷凍機であってもよい。
【００４２】
［第２の実施形態］
図３は、本発明に係る発電プラントの復水器冷却水系の第２実施形態を示す概略的な構成図である。また、第１実施形態と対応する構成および部分については同一の符号を付し、重複する説明を省略する。
【００４３】
図１に示した発電プラントの復水器冷却系の第１実施形態に対して、図３に示した発電プラントの復水器冷却系の第２実施形態では、補助冷却水系１０の補助冷却水系熱交換器１４下流側の補助冷却水系配管１１を循環水系１の第２の循環水系配管である循環水系放水配管４に接続した構成である。この実施形態では、補助冷却水系１０は復水器６をバイパスするように接続される。
【００４４】
本実施形態におけるＢＷＲプラントの復水器冷却系の作用について説明する。
【００４５】
本実施形態においては、海洋から取水された循環水が循環水系１を経て補助冷却水系ポンプ１３により昇圧されることにより海水（循環水）の一部が分岐されて補助冷却水系１０に導かれ、この補助冷却水系１０の補助冷却水系熱交換器１４に導かれる工程までは第１実施形態と同様であるため、説明は省略する。
【００４６】
補助冷却水系熱交換器１４で熱交換されることにより冷却され温度が降下した海水（循環水）の一部は、補助冷却水系配管１１を通り第２の循環水系配管である循環水系放水配管４に導かれる。この循環水は、循環水系１の循環水系取水配管３を経て復水器６の伝熱管７へ案内された他の循環水と、復水器６の伝熱管７の下流側の第２の循環水系配管である循環水系放水配管４で合流する。その後、合流した循環水は、循環水系放水配管４および循環水系放水路８を順次経て、放水口（図示せず）から海洋へ放水される。
【００４７】
この発電プラントの復水器冷却系によれば、循環水系１の第２の循環水系配管４に、補助冷却水系１０の補助冷却水系熱交換器１４下流側の補助冷却水系配管１１を接続したことで、復水器６の伝熱管７で低圧タービンから排出される排気蒸気と熱交換して温度上昇した循環水と、補助冷却水系１０で冷却された循環水とを合流させ、流量を増加させることができる。これにより、循環水系放水路８から放水される循環水の温度を降下させ、発電プラント周辺環境へ与える影響を抑えることができる。
【００４８】
なお、本実施形態においては、第１実施形態と同様に、補助冷却水系１０の補助冷却水系熱交換器１４に２次ループ冷却水系２０を設けさらに冷却効果を向上させてもよい。
【００４９】
また、補助冷却水系１０に、補助冷却水系熱交換器１４を設けたが、この補助冷却水系熱交換器１４を省略してもよい。循環水系取水路５から取水され、補助冷却水系１０を経て循環水系１の第２の循環水系配管に導かれる海水（循環水）は、復水器６の伝熱管７で低圧タービンから排出される排気蒸気と熱交換を行い温度上昇した循環水よりも低温である。このため補助冷却水系熱交換器１４を省略しても循環水系放水路８から放出される循環水を冷却する効果を得ることができ、さらには補助冷却水系１０の構成をより簡素化することができる。
【００５０】
さらに、第１実施形態と同様、補助冷却水系１０の補助冷却水系熱交換器１４は空気冷却式の熱交換器および冷凍機であってもよい。
【００５１】
［第３の実施形態］
図４は、本発明に係る発電プラントの復水器冷却水系の第３実施形態を示す概略的な構成図である。また、第１実施形態と対応する構成および部分については同一の符号を付し、重複する説明を省略する。
【００５２】
図１に示した発電プラントの復水器冷却系の第１実施形態に対して、図４に示した発電プラントの復水器冷却系の第３実施形態では、補助冷却水系１０の補助冷却水系配管１１を循環水系１の第２の循環水系配管である循環水系放水配管４から分岐されて接続した構成である。
【００５３】
本実施形態におけるＢＷＲプラントの復水器冷却系の作用について説明する。
【００５４】
循環水系取水路５は、隣接する海洋より循環水系ポンプ９により昇圧された冷却水としての海水（循環水）を取水する。この海水（循環水）の全量は、タービン建屋壁２を貫通した循環水系取水配管３を通り復水器６の伝熱管７に案内される。この海水（循環水）は、復水器６の伝熱管７で低圧タービン（図示せず）から排気される排気蒸気と熱交換して、この蒸気を冷却し凝縮する。その後循環水は復水器６を出て、第２の循環水系配管である循環水系放水配管４に導かれる。
【００５５】
この第２の循環水系配管である循環水系放水配管４には補助冷却水系１０の補助冷却水系配管１１が分岐して接続される。循環水系放水配管４を通る循環水の一部は、分岐されて補助冷却水系１０に導かれ、この補助冷却水系１０の補助冷却水系ポンプ１３により昇圧され、補助冷却水系配管１１に案内される。他の循環水は、循環水系１の第２の循環水配管である循環水系放水配管４および循環水系放水路８を順次経て海洋に放水される。
【００５６】
補助冷却水系１０に供給された循環水は、補助冷却水系熱交換器１４を通り熱交換されることにより、冷却されて温度降下する。
【００５７】
温度が降下した循環水は、補助冷却水系熱交換器１４下流側から補助冷却水系配管１１を経て、循環水系１の第１の循環水系配管である循環水系取水配管３を通る循環水と合流する。
【００５８】
この発電プラントの復水器冷却系によれば、循環水系１の第１の循環水系配管に補助冷却水系１０の補助冷却水系熱交換器１４下流側の補助冷却水系配管１１を接続したことにより、第１の循環水系配管を通り復水器６に案内される循環水（海水）の温度を降下させることができる。最終的には、第２の循環水系配管を経て海洋へ放水される循環水の温度を降下させることにより、発電プラント周辺環境へ与える影響を抑えることができる。
【００５９】
さらに、復水器６に供給する冷却水としての循環水の温度を降下させることができるため、復水器６の真空度が増し、タービン効率を向上させることができる。
【００６０】
またさらに、復水器６への循環水の流量を増加させたい場合、循環水系ポンプ９による吐出流量に加え、補助冷却水系ポンプ１３により循環水の吐出流量を増加させることができる。
【００６１】
また、補助冷却水系１０の補助冷却水系熱交換器１４下流側の補助冷却水系配管１１を第１の循環水系配管である循環水系取水配管３に接続させる箇所を、比較的タービン建屋壁２の近傍、例えば循環水系ポンプ９の下流側とすることで、補助冷却水系１０の増設などを行う際の配管埋設作業などの作業量を低減することができる。
【００６２】
なお、本実施形態においては、補助冷却水系１０の補助冷却水系配管１１を第２の循環水系配管である循環水系放水配管４に接続したが、循環水系放水路８に接続してもよい。また、補助冷却水系１０の補助冷却水系熱交換器１４下流側の補助冷却水系配管１１を第１の循環水系配管である循環水系取水配管３に接続したが、循環水系取水路５および循環水系１の循環水系ポンプ９の下流側に接続してもよい。
【００６３】
また、第１実施形態と同様に、補助冷却水系１０の補助冷却水系熱交換器１４に２次ループ冷却水系２０を設けさらに冷却効果を向上させてもよい。
【００６４】
さらに、第１実施形態と同様、補助冷却水系１０の補助冷却水系熱交換器１４は空気冷却式の熱交換器および冷凍機であってもよい。
【００６５】
［第４の実施形態］
図５は、本発明に係る発電プラントの復水器冷却水系の第４実施形態を示す概略的な構成図である。また、第１実施形態と対応する構成および部分については同一の符号を付し、重複する説明を省略する。
【００６６】
図１に示した発電プラントの復水器冷却水系の第１実施形態に対して、図５に示した発電プラントの復水器冷却水系の第４実施形態では、補助冷却水系１０の補助冷却水系配管１１が第２の循環水系配管である循環水系放水配管４に分岐して接続され、かつ補助冷却水系１０の補助冷却水系熱交換器１４下流側の補助冷却水系配管１１は第１の補助冷却水系配管１１が接続された箇所より下流側の循環水系放水配管４に接続された構成である。
【００６７】
本実施形態におけるＢＷＲプラントの復水器冷却系の作用について説明する。本実施形態においては、第２の循環水系配管である循環水系放水配管４と分岐して接続された補助冷却水系１０の補助冷却水系配管１１に循環水が案内される工程までは第３実施形態と同様であるため、説明は省略する。
【００６８】
補助冷却水系１０の補助冷却水系配管１１に案内され、補助冷却水系熱交換器１４を通り熱交換されることにより温度が降下した循環水（海水）は、補助冷却水系熱交換器１４下流側の補助冷却水系配管１１に案内される。
【００６９】
この循環水（海水）は、循環水系１の循環水系取水配管３を経て復水器６の伝熱管７へ案内された他の循環水と、復水器６の伝熱管７の下流側の第２の循環水系配管である循環水系放水配管４で合流する。その後、合流した循環水は、循環水系放水配管４および循環水系放水路８を順次経て、放水口（図示せず）から海洋へ放水される。
【００７０】
この発電プラントの復水器冷却系によれば、循環水系１の第２の循環水系配管に補助冷却水系１０の補助冷却水系熱交換器１４下流側の補助冷却水系配管１１を接続したことで、復水器６の伝熱管７で低圧タービンから排出される排気蒸気と熱交換して温度上昇した循環水の温度を降下させることができる。これにより、発電プラント周辺環境へ与える影響を抑えることができる。
【００７１】
なお、本実施形態においては、第１実施形態と同様に、補助冷却水系１０の補助冷却水系熱交換器１４に２次ループ冷却水系２０を設けさらに冷却効果を向上させてもよい。
【００７２】
また、補助冷却水系１０において、補助冷却水系ポンプ１３を設けたが、補助冷却水系１０の設備簡素化のため、この補助冷却水系ポンプ１３を省略してもよい。
【００７３】
さらに、第１実施形態と同様、補助冷却水系１０の補助冷却水系熱交換器１４は空気冷却式の熱交換器および冷凍機であってもよい。
【図面の簡単な説明】
【００７４】
【図１】本発明に係る発電プラントの復水器冷却系の第１実施形態を示す構成図。
【図２】本発明に係る発電プラントの復水器冷却系の第１実施形態に２次ループ冷却水系を設けた構成図。
【図３】本発明に係る発電プラントの復水器冷却系の第２実施形態を示す構成図。
【図４】本発明に係る発電プラントの復水器冷却系の第３実施形態を示す構成図。
【図５】本発明に係る発電プラントの復水器冷却系の第４実施形態を示す構成図。
【符号の説明】
【００７５】
１…循環水系、２…タービン建屋壁、３…循環水系取水配管、４…循環水系放水配管、５…循環水系取水路、６…復水器、７…伝熱管、８…循環水系放水路、９…循環水系ポンプ、１０…補助冷却水系、１１…補助冷却水系配管、１３…補助冷却水系ポンプ、１４…補助冷却水系熱交換器、２０…２次ループ冷却水系、２１…２次ループ冷却水系熱交換器、２２…２次ループ冷却水系ポンプ。
【図１】
2009058153.tif 000003
【図２】
2009058153.tif 000004
【図３】
2009058153.tif 000005
【図４】
2009058153.tif 000006
【図５】
2009058153.tif 000007